(57)【特許請求の範囲】
【請求項１】
頭部と、その底面から突出する複数のリードとを有する電子部品収納用のキャリアテープであって、
このキャリアテープの電子部品収納用凹部の上部が前記電子部品の頭部を収納する筒状凹部に形成され、下部が前記電子部品の複数のリードを収納し、内側面がリードと当接して係止可能となるような単一の角筒状凹部に形成され、前記上部と前記下部との境界部分に、前記電子部品の頭部を支持する、前記電子部品の前記頭部の全周にわたる段部が形成されてなることを特徴とするキャリアテープ。
【発明の詳細な説明】
【０００１】
【発明の属する技術分野】
本発明は、頭部とリードを有する電子部品を多数収納して、保管、搬送するのに、あるいは実装機において円滑な稼動を行うのに有用なキャリアテープに関する。
【０００２】
【従来の技術】
従来、図５の（ａ）に示すフォトダイオード、（ｂ）に示す発光ダイオード等の頭部１１と、その底面から突出する複数のリード１２とを有する電子部品（以下、CAＮ型部品という）は、図６（ａ）、（ｂ）に示すような、頭部１１収納用の円筒状凹部１３とリード収納用の円筒状凹部１４により形成された熱可塑性プラスチック製のソフトトレイまたは射出成形により作製したハードトレイと呼ばれるパッケージ１５に収納されて、移送および保管され、さらにパッケージ１５に収納された状態で、実装機によりCAＮ型部品がピックアップされて、リードの位置を、基板の目的とする接点位置に一致させた後、実装されていた。
【０００３】
【発明が解決しようとする課題】
しかしながら、上記従来のパッケージ１５は、サイズが大きいため、移送性、保管性に劣るのに加え、実装機で使用する際のスペース効率も悪く、さらに、長時間連続して実装を行う場合には、トレイの場合には、手作業あるいは自動機による交換作業が不可欠となってしまう。
また、CAＮ型部品は、トレイの移送あるいは保管中に受ける振動等によって収納用の円筒状凹部内で回転し、パッケージの対応するＣＡＮ型部品の向きがそれぞれ異なってしまうため、実装機によりピックアップして基板に実装する際には、リード部を基板の接点位置に合わせる必要上、CAＮ型部品の向きを大きく修正しなければならない場合があった。さらに、頭部に記載されたロットナンバーや部品コードといった表示の向きが各々異なると、画像処理装置等での文字認識処理時間が長くなる等の問題も生じ、実装速度の向上を妨げていた。
したがって、本発明の課題は、実装機においてCAＮ型部品の効率的な実装を可能とするキャリアテープを提供することにある。
【０００４】
【課題を解決するための手段】
本発明のキャリアテープは、電子部品収納用凹部の上部が電子部品の頭部を収納する筒状凹部に形成され、下部が電子部品のリードを収納する単一の角筒状凹部に形成され、前記電子部品収納用凹部の上部と下部との境界部分に、収納する電子部品の頭部を支持する、前記電子部品の前記頭部の全周にわたる段部が形成されている。
【０００５】
上記筒状凹部は、ＣＡＮ型部品の頭部の収納部で、電子部品収納用凹部の上部と下部との境界部分に形成された段部によって、前記ＣＡＮ型部品の頭部が支持される。この筒状凹部は、通常、円筒形に形成されるが、これに限定されるものではなく、適用するＣＡＮ型部品の頭部を収納できる筒状であれば、断面が、円形、楕円形、多角形等、いかなる形状であっても良い。また、前記段部は、ＣＡＮ型部品の頭部を支持できるように、電子部品収納用凹部の上部と下部の境界部分に、全周にわたって形成される。つまり、ＣＡＮ型部品の頭部を収納する上部の筒状凹部と、リードを収納するリードの配設形状に対応した下部の角筒状凹部との断面積の差によって、境界部分に段部が形成される。
【０００６】
電子部品収納用凹部の下部に形成される角筒状凹部は、収納するＣＡＮ型部品のリードの突出形態に合わせた断面角形の筒状、すなわち角筒状に成形され、収納されたＣＡＮ型部品が移送中の振動などにより回転しようとしても、リードが角筒状凹部の内側面に当接して係止するように形成される。
【０００７】
すなわち、従来は、移送あるいは保管中に受ける振動等によって、パッケージの円筒状凹部に収納したCAＮ型部品が回転して、向きが各々異なっていたのに対し、本発明のキャリアテープでは、CAＮ型部品のリードが、角筒状凹部の内側面に当接して係止されるため、回転が抑制され、収納時のCAＮ型部品の向きが一定に保持できる。
角筒状凹部は、リードとのクリアランスを出来るだけ小さく、かつＣＡＮ型部品の頭部の下面が段部に保持された状態で、リードの末端が底面に非接触となるに充分な深さに、成形するのが望ましい。
【０００８】
【発明の実施の形態】
以下、本発明の一実施の形態を添付図面に基づいて説明する。
図１（ａ）は、本発明のキャリアテープの一例を示す模式的な部分斜視図であり、（ｂ）は、（ａ）に示すキャリアテープの電子部品収納用凹部の模式的な正面図である。図２（ａ）〜（ｃ）は、本発明のキャリアテープにおける電子部品収納用凹部の種々の形態と収納する電子部品との関係を示す部分拡大模式図である。図３の（ａ）は、本発明のキャリアテープに収納するＣＡＮ型部品の一例の斜視図であり、（ｂ）は、このＣＡＮ型部品の底面図である。図４の（ａ）は、本発明のキャリアテープに設けられた電子部品収納用凹部の模式的な部分斜視図であり、（ｂ）は、その平面図である。
【０００９】
図１に示すように、本発明のキャリアテープ１は、中央部に電子部品収納用凹部２が等間隔に連続して設けられ、また、側辺には移送用のスプロケット孔３が同じく連続して設けられている。
また、電子部品収納用凹部２は、その上部がＣＡＮ型部品の頭部を収納する筒状凹部４に形成され、下部がＣＡＮ型部品のリードを収納する角筒状凹部５に形成され、電子部品収納用凹部２の上部と下部の境界部分には、段部６が張り出し状（テラス状）に形成されている。
電子部品収納用凹部２には、ＣＡＮ型部品７が、収納され、キャリアテープ１の上面には、トップテープ８が形成されている。
【００１０】
電子部品収納用凹部２の下部に形成される角筒状凹部５は、収納するＣＡＮ型部品７のリード９の突出数およびその突出形態に合わせ、例えば、ＣＡＮ型部品７のリード９の数が２本の場合には、図２の（ａ）に示すように、角筒状凹部５の形状は、横長の四角筒状に成形され、リードの数が３本の場合には、その突出形態に合わせて（ｂ）に示すような三角筒状に成形され、リードの数が４本の場合には、（ｃ）に示すような正四角筒状に成形する。
【００１１】
このような角筒状凹部５を、リード９の突出形態に合わせた形状とすることにより、移送あるいは保管中に受ける振動等によって収納されたCAＮ型部品７が角筒状凹部５内で回転しようとしても、リード９が角筒状凹部５の側面に接触するため、回転が抑制され、キャリアテープに連続して収納されたCAＮ型部品７の向きをそれぞれ一定の方向に保持することができる。
このため、電子部品収納用凹部２にCAＮ型部品７を収納する際に、基板への実装時の向き（角度）を考慮しておくことにより、実装機による基板へのCAＮ型部品を実装する際の効率を高めることができる。
【００１２】
すなわち、電子部品収納用凹部２からCAＮ型部品７をピックアップした後、リード９の位置を基板の接点位置に一致させるための方向の修正が不要か、あるいは修正時間を短縮でき、さらにCAＮ型部品の頭部に記載されたロットナンバーや部品コードといった表示の向きが一定になるため、画像処理装置等での文字認識処理時間の短縮が可能となる。
【００１３】
【実施例】
以下、本発明のキャリアテープの実施例を、図３、図４に基づき説明するが、本発明はこれに限定されるものではない。
図３（ａ）に示すような、頭部が、φ４．８ｍｍ、高さ５．３ｍｍの円柱体で、この頭部の底面から突出したリードの長さが、１２．７ｍｍであるフォトダイオードであるＣＡＮ型部品７用のキャリアテープを作製した。
作製したキャリアテープ１は、厚さ０．４ｍｍのポリスチレンシートを用い、リード収納用の角筒状凹部５は、フォトダイオードであるＣＡＮ型部品７のリードの突出形態に合わせるため、直角二等辺三角筒とし、実際にフォトダイオードであるＣＡＮ型部品７を収納した際に、リード９と、リード収納用の角筒状凹部５の側面とのクリアランスが０．１０ｍｍとなるよう、また、リード９の末端がリード収納用の角筒状凹部５の底面に接触しないように、筒状凹部からの深さを１３．０ｍｍに設計した。
上記キャリアテープ１に、収納したフォトダイオードであるＣＡＮ型部品７は、リード９がリード収納用の角筒状凹部５の側面に接触することで回転が抑制され、±２．５°以内で収納時の角度を保持し、かつリード末端をリード収納用の角筒状凹部の底面に非接触とすることができた。
【００１４】
【発明の効果】
本発明のキャリアテープによれば、収納用凹部内の電子部品の向きが保持されるため、CAＮ型部品を収納する際、実装時の角度を考慮しておくことにより、実装機でCAＮ型部品をピックアップした後、リード位置を基板の接点位置に一致させるための角度補正時間が不要かあるいは短縮でき、さらに、CAＮ型部品の頭部に記載されたロットナンバーや部品コードといった表示の画像処理装置等による文字認識処理が容易となるため、実装時間の短縮が可能となる。
【図面の簡単な説明】
【図１】（ａ）は、本発明のキャリアテープの一例を示す模式的な部分斜視図であり、（ｂ）は、（ａ）のキャリアテープ部分正面図である。
【図２】（ａ）、（ｂ）、（ｃ）は、それぞれ、本発明のキャリアテープにおける電子部品収納用凹部の形態を示す模式的な部分拡大斜視図である。
【図３】（ａ）は、本発明の実施例で用いたＣＡＮ型部品の斜視図、（ｂ）は、その底面図である。
【図４】（ａ）は、本発明の実施例で使用したキャリアテープの部分斜視図であり、（ｂ）は、その平面図である。
【図５】（ａ）、（ｂ）は、ＣＡＮ型部品の一例を示す斜視図である。
【図６】（ａ）、（ｂ）は、従来のパッケージの一例を示す斜視図である。
【符号の説明】
１  キャリアテープ
２  電子部品収納用凹部
３  スプロケット孔
４  筒状凹部
５  角筒状凹部
６  段部
７  ＣＡＮ型部品
９  リード
１１  頭部
１２  リード
１３、１４  円筒状凹部
１５  パッケージ
【図１】
0004218918.tif 000002
【図２】
0004218918.tif 000003
【図３】
0004218918.tif 000004
【図４】
0004218918.tif 000005
【図５】
0004218918.tif 000006
【図６】
0004218918.tif 000007